(57)【要約】【課題】  外出等する際に事前に効果的な紫外線対策を行えるようにする。【解決手段】  携帯電話端末５，６は、それぞれ紫外線量を測定して、その紫外線量情報と当該紫外線量の測定位置情報を紫外線情報提供サーバ３へ送信する。紫外線情報提供サーバ３は、携帯通信端末５，６から送られてきた紫外線量情報及び測定位置情報を統計的に集計し、その集計した紫外線量情報及び位置情報に基づいて、各位置若しくは地域の紫外線強度マップ画像を生成する。そして、携帯電話端末５，６や情報端末４からの要求に応じて、それら要求された各位置若しくは地域の紫外線強度マップ画像のデータを提供する。【選択図】  図１
2007104555.tif 000002
【特許請求の範囲】
【請求項１】
情報通信を行うための通信部と、
紫外線量を測定する紫外線検出部と、
上記紫外線検出部での紫外線量の測定位置を検出する位置検出部と、
上記紫外線検出部にて測定した紫外線量情報と上記位置検出部にて検出した測定位置情報を上記通信部を介して所定のサーバへ送信させる制御部と、
を有することを特徴とする携帯通信端末。
【請求項２】
請求項１記載の携帯通信端末であって、
情報を表示可能なディスプレイ画面を備えた表示部を有し、
上記制御部は、所望の位置若しくは地域の紫外線量に関する情報の提供を上記通信部を介して所定のサーバに要求し、その要求に応じて当該所定のサーバから提供された上記所望の位置若しくは地域の紫外線量に関する情報を、上記表示部のディスプレイ画面上に表示させることを特徴とする携帯通信端末。
【請求項３】
請求項２記載の携帯通信端末であって、
上記制御部は、上記紫外線量に関する情報として、上記所望の位置若しくは地域の紫外線強度を地図上に表した地図画像情報を上記所定のサーバから取得し、その地図画像情報を上記表示部のディスプレイ画面上に表示させることを特徴とする携帯通信端末。
【請求項４】
請求項１記載の携帯通信端末であって、
上記紫外線検出部は、画像を撮影するためのカメラ部に搭載され、上記カメラ部の撮像素子にて撮像された信号に基づいて紫外線量を測定することを特徴とする携帯通信端末。
【請求項５】
情報通信を行うための通信機能部と、
携帯通信端末が測定した紫外線量情報及びその紫外線量の測定位置情報を上記通信機能部が受信した時、その紫外線量情報及び測定位置情報を蓄積する情報蓄積部と、
上記情報蓄積部に蓄積された紫外線量情報及び位置情報を統計的に集計する情報集計処理部と、
上記情報集計処理部にて集計した紫外線量情報及び位置情報に基づいて、各位置若しくは地域の紫外線量に関する情報を生成する情報生成部と、
上記情報生成部が生成した各位置若しくは地域の紫外線量に関する情報を、外部からの要求に応じて上記通信機能部から送信させる制御部と、
を有することを特徴とする紫外線情報提供サーバ。
【請求項６】
請求項５記載の紫外線情報提供サーバであって、
上記情報生成部は、上記紫外線量に関する情報として、上記各位置若しくは地域の紫外線強度を地図上に表した地図画像情報を生成することを特徴とする紫外線情報提供サーバ。
【請求項７】
紫外線量を測定し、その紫外線量情報と当該紫外線量の測定位置情報を送信する携帯通信端末と、
携帯通信端末から送られてきた紫外線量情報及び測定位置情報を統計的に集計し、その集計した紫外線量情報及び位置情報に基づいて、各位置若しくは地域の紫外線量に関する情報を生成し、それら各位置若しくは地域の紫外線量に関する情報を、外部からの要求に応じて送信する紫外線情報提供サーバと、
を有することを特徴とする紫外線情報共有システム。
【請求項８】
請求項７記載の紫外線情報共有システムであって、
上記携帯通信端末は、情報を表示可能なディスプレイ画面を備えた表示部を有し、所望の位置若しくは地域の紫外線量に関する情報の提供を上記紫外線情報提供サーバへ要求し、その要求に応じて当該紫外線情報提供サーバから提供された上記所望の位置若しくは地域の紫外線量に関する情報を、上記表示部のディスプレイ画面上に表示させることを特徴とする紫外線情報共有システム。
【請求項９】
請求項８記載の紫外線情報共有システムであって、
上記紫外線情報提供サーバは、上記紫外線量に関する情報として、上記各位置若しくは地域の紫外線強度を地図上に表した地図画像情報を生成し、
上記携帯通信端末は、上記所望の位置若しくは地域の紫外線強度を地図上に表した地図画像情報を上記紫外線情報提供サーバから取得し、その地図画像情報を上記表示部のディスプレイ画面上に表示させることを特徴とする紫外線情報共有システム。
【発明の詳細な説明】
【技術分野】
【０００１】
本発明は、紫外線測定機能を備えた携帯通信端末と、携帯情報端末へ紫外線情報を提供する紫外線情報提供サーバ、及び、複数の携帯通信端末間で紫外線情報共有を可能とした紫外線情報共有システムに関する。
【背景技術】
【０００２】
近年は、オゾン層の破壊によって地上に降り注ぐ紫外線量が増加傾向にあることが指摘されている。地上に到達する紫外線量の増加は、皮膚癌の増加や皮膚の老化進行、ＤＮＡの損傷など健康に重大な影響を及ぼすと共に、シミやソバカスなどの美容上でも大きな影響を与える。また最近は、いわゆる美白ブームであり、紫外線による日焼けを避ける傾向が一段と強くなっている。このようなことから、紫外線を防ぐ効果を備えた衣類や日傘、窓ガラス、日焼け止めクリームなどが多数商品化されている。
【０００３】
一方、野外等において紫外線量を測定できれば、その場所での紫外線による危険レベルを知ることができることになり、その危険レベルに応じて効果的な紫外線対策を取ることができるようになると考えられる。しかしながら、紫外線の危険レベルを知るためには、紫外線量を測定可能な紫外線検出器が必要となのに対し、現状では紫外線検出器の普及率はさほど高くはない。したがって、紫外線検出器を持たない一般の多くの人は、野外等において紫外線の危険レベルを知ることができず、効果的な紫外線対策をとれずにいる。
【０００４】
なお、紫外線検出器の普及を妨げている大きな要因は、その紫外線検出器が紫外線を検出する機能しか備えていないことにあると考えられる。すなわち、現状において、紫外線検出器は必要に迫られている人にしか購入されておらず、一般の人が紫外線測定だけのために紫外線検出器を購入することは少ないためであると考えられる。
【０００５】
ところで、近年は携帯電話端末が広く普及しており、殆どの人が常に携帯電話端末を持ち歩いている。また、最近の携帯電話端末は、カメラ機能やインターネット通信機能等といった多種多様な機能を備えており、それら機能の一つとして紫外線量測定機能を搭載することも提案されている。このように、携帯電話端末に紫外線量測定機能を搭載すれば、多くの人が野外等で自ら紫外線量を測定できるようになり、その結果、紫外線による危険レベルに応じた効果的な紫外線対策を取ることができるようになると考えられる。
【０００６】
なお、特開２００１−３２０４５１号の公開特許公報（特許文献１）には、液晶ディスプレイ等の情報表示領域内に紫外線センサーを設けることで、紫外線を測定可能とした携帯電話等の携帯型情報機器が開示されている。
【０００７】
また、特開２００４−１９８２８８号の公開特許公報（特許文献２）には、撮像素子の所定の画素に紫外線透過フィルタを設けることで、紫外線測定器としても使用可能となされたカメラシステムが開示されている。
【０００８】
また、特開２００４−２３５２０号の公開特許公報（特許文献３）には、紫外線等を感知する感知手段を備えた携帯電話機やＰＤＡ等の情報端末機が開示されている。
【０００９】
さらに、特開２００４−３１７４１５号の公開特許公報（特許文献４）には、アンテナの先端部分に紫外線検出部を備えた携帯電話等の通信装置が開示されている。
【００１０】
【特許文献１】特開２００１−３２０４５１号公報（図１）
【特許文献２】特開２００４−１９８２８８号公報（図３）
【特許文献３】特開２００４−２３５２０号公報（図１）
【特許文献４】特開２００４−３１７４１５号公報（図３）
【発明の開示】
【発明が解決しようとする課題】
【００１１】
前述したように、例えば携帯電話端末に紫外線測定機能を搭載すれば、その端末を所持している各人が自ら紫外線量を測定できるようになる。
【００１２】
しかしながら、紫外線を効果的に防ぐためには、例えば、紫外線防御効果を備えた衣類を着て出かけたり、日傘を持ち出したり、日焼け止めクリームを塗ってから出かけるなどの、事前対策を講じておかなければならないのに対し、上述した紫外線測定機能を搭載した携帯電話端末のみでは、実際に野外に出て紫外線を測定した後にしか対策を行うことができない。
【００１３】
したがって、例えば、自宅近辺で測定した紫外線量が少なかったために、特に紫外線対策を施さずに外出したような場合において、その外出先の紫外線量が多かったような場合には、紫外線を有効に防ぐことができないことになってしまう。
【００１４】
本発明は、このような実情に鑑みて提案されたものであり、外出等する際に事前に効果的な紫外線対策を講ずることを可能にする、携帯通信端末、紫外線情報提供サーバ、及び、紫外線情報共有システムを提供することを目的とする。
【課題を解決するための手段】
【００１５】
本発明の携帯通信端末は、情報通信を行うための通信部と、紫外線量を測定する紫外線検出部と、その紫外線量の測定位置を検出する位置検出部と、それら紫外線量情報と測定位置情報を通信部を介して所定のサーバへ送信させる制御部とを有することにより、上述した課題を解決する。
【００１６】
また、本発明の紫外線情報提供サーバは、情報通信を行うための通信機能部と、携帯通信端末が測定した紫外線量情報及びその紫外線量の測定位置情報を通信機能部が受信した時に、その紫外線量情報及び測定位置情報を蓄積する情報蓄積部と、その蓄積された紫外線量情報及び位置情報を統計的に集計する情報集計処理部と、それら集計された紫外線量情報及び位置情報に基づいて各位置若しくは地域の紫外線量に関する情報を生成する情報生成部と、それら各位置若しくは地域の紫外線量に関する情報を外部からの要求に応じて通信機能部から送信させる制御部とを有することにより、上述した課題を解決する。
【００１７】
また、本発明の紫外線情報共有システムは、紫外線量を測定して、その紫外線量情報と当該紫外線量の測定位置情報を送信する携帯通信端末と、携帯通信端末から送られてきた紫外線量情報及び測定位置情報を統計的に集計し、その集計した紫外線量情報及び位置情報に基づいて、各位置若しくは地域の紫外線量に関する情報を生成し、それら各位置若しくは地域の紫外線量に関する情報を、外部からの要求に応じて送信する紫外線情報提供サーバとを有することにより、上述した課題を解決する。
【００１８】
すなわち、本発明によれば、携帯通信端末は自ら測定した紫外線量情報とその測定位置情報を所定のサーバへ送信することにより、その測定位置での紫外線量を他者に知らせることができる。
【００１９】
また、本発明によれば、紫外線情報提供サーバは、各地の携帯通信端末が測定した紫外線量情報とその測定位置情報を集計し、その集計により得られた各位置若しくは地域の紫外線量に関する情報を、別の場所の携帯通信端末等へ提供することができるため、それら別の場所の携帯通信端末等のユーザは、所望の位置若しくは地域の紫外線量を知ることができる。
【００２０】
また、本発明の紫外線情報共有システムによれば、携帯通信端末は自ら測定した紫外線量情報とその測定位置情報を所定のサーバ（紫外線情報提供サーバ）へ送信することにより、その測定位置での紫外線量を他者に知らせることができ、一方、紫外線情報提供サーバは、各地の携帯通信端末が測定した紫外線量情報とその測定位置情報を集計し、その集計により得られた各位置若しくは地域の紫外線量に関する情報を、別の場所の携帯通信端末等へ提供することにより、それら別の場所の携帯通信端末等のユーザは、所望の位置若しくは地域の紫外線量を知ることができるようになる。
【発明の効果】
【００２１】
本発明によれば、携帯通信端末が測定した紫外線量情報とその測定位置情報を所定のサーバ（紫外線情報提供サーバ）へ送信し、一方、紫外線情報提供サーバは、各地の携帯通信端末が測定した紫外線量情報とその測定位置情報を集計して各位置若しくは地域の紫外線量に関する情報を生成し、例えば別の場所の携帯通信端末等へ提供可能となされているため、当該別の場所の携帯通信端末のユーザは、例えば外出等する際に、その外出先の紫外線量を事前に知ることができ、したがって、事前に効果的な紫外線対策を講ずることが可能となる。
【発明を実施するための最良の形態】
【００２２】
以下、図面を参照しながら、本発明の携帯通信端末、紫外線情報提供サーバ、及び、紫外線情報共有システムの一実施形態について説明する。
【００２３】
なお、本実施形態では、本発明の携帯通信端末の一例として、携帯電話端末を挙げているが、勿論、ここで説明する内容はあくまで一例であり、本発明はこの例に限定されないことは言うまでもない。
【００２４】
〔システムの概要〕
図１には、本発明実施形態の紫外線情報共有システムの概略図を示す。
【００２５】
図１において、携帯電話端末５や６は、一般的な携帯電話端末が備えている通話機能や電子メール送受信機能、インターネット接続機能等の通信機能、ウェブページのブラウジング機能、カメラ機能の他に、ＧＰＳ（Global Positioning System）機能と紫外線測定機能を備えている。図１では、二つの携帯電話端末５，６のみ示しているが、本実施形態のシステムの場合、上述の機能を備えた携帯電話端末は、全国各地に多数存在する。
【００２６】
本実施形態の携帯電話端末５，６が備える紫外線測定機能は、例えばカメラ機能に付加されている。すなわち例えば、携帯電話端末５，６のカメラ機能は、一例として、Ｒ（赤），Ｇ（緑），Ｂ（青）の色フィルタと紫外線透過フィルタとを切り換え可能となされており、紫外線透過フィルタに切り換えた状態で入射光の光電変換を行うことにより、例えば太陽１からの紫外線量を測定可能となされている。なお、本発明において、カメラ機能のフィルタ切り換えによる紫外線測定の手法は一例であり、本発明にかかる携帯電話端末が備えている紫外線測定機能はこの例に限定されず、他の測定手法を用いても良い。
【００２７】
本実施形態の携帯電話端末５，６は、例えばユーザが任意に行う測定開始指示に基づいて上記紫外線測定機能により紫外線情報を測定すると、上記ＧＰＳ機能を起動し、ＧＰＳ衛星２からの測位電波を用いて、上記紫外線の測定を行った場所の測位を行い、その測位による位置情報と当該位置における紫外線情報とを、上記通信機能を使用して所定のサーバ３へ送信する。すなわち、本実施形態のシステムの場合、全国各地に多数存在する携帯電話端末において、各々が存在する地点の紫外線情報が測定され、その紫外線情報が各々の位置情報と合わせて所定のサーバ３へ送信されることになる。
【００２８】
上記所定のサーバ３は、例えばインターネット上に用意されており、全国各地に多数存在する携帯電話端末が各々存在する地点で測定した紫外線情報と位置情報を受信して蓄積し、それら紫外線情報と位置情報を集計して統計的処理を行うことにより、例えば日本全国各地の紫外線強度マップ画像を生成及び保存し、さらに、携帯電話端末５，６やパーソナルコンピュータ等の情報端末４からの要求に応じて、その紫外線強度マップ画像を提供可能となされた紫外線情報提供サーバである。
【００２９】
すなわち、紫外線情報提供サーバ３は、全国各地に多数存在する携帯電話端末が、各々存在する地点で測定した紫外線情報とその位置情報を受信することにより、全国各地の紫外線情報を蓄積することができ、また、それら蓄積した紫外線情報と位置情報を集計して統計的処理を行うことにより、例えば図２に示すように、日本全国的な紫外線強度マップ画像を生成する。そして、紫外線情報提供サーバ３は、その紫外線強度マップ画像のデータを、携帯電話端末等からの要求に応じて提供する。
【００３０】
なお、図２の紫外線強度マップ画像では、紫外線量を「強」，「中」，「弱」のマークにより表しているが、例えば、色分けや模様分け等により紫外線量を表すようにしても良いし、紫外線量の数値そのものを記述しても良い。また、紫外線量と共に、或いは紫外線量に代えて、紫外線による危険度レベルを表示しても良い。その他にも、例えば、日焼け止めクリームにおける紫外線防止効果を表すレベルである、いわゆるＳＰＦ（Sun  Protection  Factor）やＰＡ（Protection  grade  of  UVA）を表示するようにし、紫外線量に応じてどのような紫外線対策を行えば良いのかを、ユーザに対して判り易く提示するようにしても良い。
【００３１】
また、図２に示した紫外線強度マップ画像は一例であり、紫外線情報提供サーバ３は、上記図２の例のような日本地図上の紫外線強度マップ以外にも、例えば、県別の紫外線強度マップや市町村別の紫外線強度マップ、さらに細かい地区別の紫外線強度マップ、例えば野球場やゴルフ場など施設毎の紫外線強度マップ、各携帯電話端末にて測定されたピンポイント位置での紫外線強度マップ等の画像を生成して保存し、それらを提供することも可能となされている。
【００３２】
その他、携帯電話端末が紫外線情報と位置情報を送信する宛先のサーバと、携帯電話端末や情報端末へ紫外線強度マップ画像を提供するサーバは、別のサーバであっても良い。
【００３３】
上述のように、本発明実施形態の紫外線情報共有システムによれば、携帯電話端末等のユーザは、これから行こうとしている外出先の紫外線強度マップ画像の情報を上記紫外線情報提供サーバ３から取得し、その画像を当該端末のブラウジング機能により表示することで、その外出先の紫外線量を予め知ることができ、したがって、事前に効果的な紫外線対策を講ずることが可能となる。すなわち、自宅近辺で測定した紫外線量が例え少なかったとしても、外出先の紫外線強度マップから紫外線量が強いことが判った場合には、その紫外線量による危険度レベルに応じた紫外線防御効果を備えた衣類を着たり、日傘を持ち出したり、日焼け止めクリームを塗るなどの、事前対策を行うことが可能となる。
【００３４】
〔携帯電話端末の構成〕
図３には、上述した本実施形態にかかる携帯電話端末５，６の概略的な内部構成を示す。
【００３５】
図３において、データラインは、音声データや電子メールデータ、画像データなの各種データを伝送するための伝送ラインである。
【００３６】
制御ラインは、ＣＰＵ（中央処理ユニット）により構成されている制御部３０からの制御データなどの各種制御情報を伝送するための伝送ラインである。
【００３７】
アンテナ３２は、通信回路３１に接続され、通話や電子メール通信、インターネット接続などの際の信号電波を送受信するのに用いられる。
【００３８】
通信回路３１は、送受信信号の周波数変換、変調と復調等を行う。
【００３９】
ここで、上記アンテナ３２及び通信回路３１にて受信された受話音声データは音声処理部４２へ送られ、それ以外の受信データは、制御部３０へ送られて適切に処理された後、必要に応じて当該制御部３０から各部へ送られる。なお、受話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００４０】
上記アンテナ３２及び通信回路３１から受話音声データが供給された時の音声処理部４２は、当該受話音声データを復号化し、その復号化後の受話音声データをアナログ音声信号に変換し、そのアナログ受話音声信号をスピーカ４０若しくは図示しないイヤホンジャックへ送る。
【００４１】
スピーカ４０は、上記音声処理部４２から供給されたアナログ受話音声信号を内部増幅器により増幅した後、その受話音声信号を可聴音声に変換して外部に出力する。これにより、スピーカ４０からは受話音声が出力されることになる。
【００４２】
マイクロホン４１は、発話音声をアナログ音声信号に変換すると共に、内部増幅器により増幅し、さらにそのアナログ発話音声信号を音声処理部４２に送る。
【００４３】
上記マイクロホン４１からアナログ発話音声信号が供給された時の音声処理部４２は、その発話音声信号をディジタル発話音声データに変換した後に符号化し、さらにその符号化後の発話音声データを通信回路３１へ送る。これにより、アンテナ３２からは発話音声データが送信されることになる。
【００４４】
表示部３３は、液晶ディスプレイ等の表示デバイス及び表示駆動回路を備え、ディスプレイの画面上に画像や文字等を表示する。
【００４５】
操作部３４は、テンキー（キーボード）や電源ボタン、発話／終話ボタン、ジョグダイヤルなどの操作子とそれら操作子が操作された時の操作信号を発生する操作信号発生器とからなる。ユーザは、この操作部３４を操作することで、通話のための発着呼や電子メール文の作成、電子メールの送受信、インターネットへの接続、紫外線量の測定開始等の指示操作を行う。
【００４６】
画像処理部４３は、制御部３０による制御の元で内蔵メモリから読み出された圧縮符号化されている画像データや、インターネット等を介して取得した例えば前述の紫外線強度マップ画像データ等を伸張復号化等し、その伸張復号後の画像データをデータラインを介して表示部３３へ送る。すなわち、前述の紫外線強度マップ画像データの伸張復号化が行われた場合には、上記表示部３３に例えば図２のような紫外線強度マップ画像が表示されることになる。また、画像処理部４３は、図示しないカメラ部により撮影された静止画像や動画像のデータの圧縮符号化等を行い、その圧縮符号化された画像データを、制御部３０による制御の元で内蔵メモリに送って記憶させる。
【００４７】
ＧＰＳ部４５は、ＧＰＳにおける測地衛星の発信する電波をＧＰＳ用アンテナ４６を介して受信すると共に、その受信電波に基づいて、自端末の現在位置の緯度及び経度を求める。このＧＰＳ部４５がＧＰＳ用アンテナ４６を介して受信したＧＰＳデータ（緯度，経度を表す情報）は、制御部３０へ送られる。
【００４８】
カメラ部４４は、前述した紫外線測定付きのカメラであり、通常の撮影機能の他に、前述したように、例えば色フィルタから紫外線透過フィルタへの切り換えを行い、その状態で入射光の光電変換を行うことによって紫外線量を測定する機能を備えている。当該カメラ部４４の撮像デバイスでの光電変換により得られた静止画像や動画像のデータは画像処理部４３へ送られる。一方、紫外線のデータは、制御部３０へ送られ、当該制御部３０にて上記ＧＰＳ部４５からの位置情報と合わせられた後、通信回路３１及び通信アンテナ３２を通じて送信され、インターネット上の前記紫外線情報提供サーバ３へ送られることになる。
【００４９】
メモリ部３５は、ＲＡＭ（Read Only Memory）とＲＡＭ（Random Access Memory）を含む。ＲＯＭは、ＯＳ（Operating System）、制御部３０が各部を制御するための制御プログラムコード、各種の初期設定値、フォントデータ、辞書データ、着信音やキー操作音，アラーム音用の各種音データ、電子メールの作成や編集等を行うためのアプリケーション用のプログラムコード、画像や音声に対して様々な処理を行うためのアプリケーション用プログラムコード、本実施形態にかかる紫外線測定用のアプリケーションプログラムコード、ＧＰＳ部４５を介した位置情報の取得用のアプリケーションプログラムコード、紫外線情報と位置情報を紫外線情報提供サーバ３へ送信するためのアプリケーションプログラムコード、その他、携帯電話端末に搭載される各種のアプリケーション用のプログラムコード、当該携帯電話端末の識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、上記測定した紫外線情報や位置情報、紫外線情報提供サーバ３から取得した紫外線強度マップの画像データ、文字入力時の予測変換候補辞書データ、静止画や動画データ、キー操作音，アラーム音用等の音データ、その他、各種のユーザ設定値等を保存することも可能となされている。ＲＡＭは、制御部３０が各種のデータ処理を行う際の作業領域として、随時データを格納する。
【００５０】
制御部３０は、ＣＰＵからなり、メモリ部３５に記憶されているＯＳや各種プログラムに基づいて、携帯電話端末の制御、本実施形態にかかる紫外線量測定、位置情報測定、それら紫外線情報と位置情報の送信処理など、各種機能を実現するための制御や各種演算を行う。
【００５１】
その他、図３には図示を省略しているが、本発明の携帯電話端末は、外部メモリインターフェース、外部ケーブル用コネクタ、赤外線通信機能、近距離無線通信機能、電子財布機能、ＬＥＤ（発光ダイオード）の発光機能、バイブレータ機能、バッテリ、電力制御機能など、一般的な携帯電話端末が備えている各構成要素についても備えている。
【００５２】
〔紫外線情報提供サーバの構成〕
図４には、上述した本実施形態にかかる紫外線情報提供サーバ３の概略的な内部構成を示す。
【００５３】
図４において、通信機能部２１は、インターネットを通じて携帯電話端末５，６や情報端末４と通信可能となされている。携帯電話端末５，６等から、紫外線情報と位置情報が送信されてきた場合、それら情報は制御部２０を介して紫外線・測定位置情報データベース２６に送られて保存される。
【００５４】
紫外線情報統計処理部２２は、制御部２０を介して、上記紫外線・測定位置情報データベース２６に保存されている紫外線情報と位置情報を読み出し、それら情報の集計して統計的処理を行い、紫外線強度マップ画像生成部２３へ渡す。
【００５５】
紫外線強度マップ画像生成部２３は、制御部２０を介して上記紫外線情報統計処理部２２から上記紫外線情報と位置情報の統計処理情報を受け取ると、位置情報に応じた地図データを地図データベース２４を取り出し、前述したような紫外線強度マップ画像を生成する。そして、紫外線強度マップ画像生成部２３は、制御部２０を介して、上記紫外線強度マップ画像を紫外線情報サービスコンテンツデータベース２５へ保存させる。
【００５６】
制御部２０は、通信機能部２１を介して、携帯電話端末や情報端末から、所望の地域等に関する紫外線情報の提供要求を受け取ると、上記紫外線情報サービスコンテンツデータベース２５から、その地域等に関する紫外線強度マップ画像を取り出し、その画像データを、通信機能部２１を介して、上記提供要求を行った携帯電話端末や情報端末へ送信する。
【００５７】
〔まとめ〕
以上説明したように、本発明実施形態のシステムによれば、携帯電話端末等のユーザは、現在自分の居る位置のみならず、居ない位置やこれから行こうとしている外出先の紫外線情報を取得することができ、外出先等の紫外線量を事前に知ることができるため、事前に効果的な紫外線対策を講ずることができるようになる。これにより、例えば皮膚癌の予防や皮膚の老化防止、ＤＮＡの損傷の防止が可能となり、また、美容上の悪影響も軽減することが可能となる。
【００５８】
また、本実施形態によれば、全国各地のユーザがそれぞれの場所の紫外線情報を共有可能となるため、例えば、美白願望のある女性にとって最重要項目である紫外線についての情報を共有するようなコミュニティの形成も可能となる。
【００５９】
また、本発明実施形態のシステムによれば、紫外線情報提供サーバは、全国的な紫外線量情報の収集、公開が可能となる。
【００６０】
なお、上述した実施形態の説明は、本発明の一例である。このため、本発明は上述した実施形態に限定されることなく、本発明にかかる技術的思想を逸脱しない範囲であれば、設計等に応じて種々の変更が可能であることはもちろんである。
【００６１】
例えば、本発明の携帯情報端末は、携帯電話端末に限定されず、通信機能と紫外線測定機能及びＧＰＳ機能を搭載したＰＤＡ等の各種の携帯情報端末にも適用可能である。
【００６２】
また、上述の実施形態では、紫外線情報のみを測定する例を挙げたが、例えば携帯電話端末に温度計測機能や湿度計測機能を設け、それらにより測定した温度情報や湿度情報も位置情報と共にサーバへ送信するようにしても良い。この場合のサーバは、それら温度や湿度の情報についても他の携帯電話端末へ提供可能となる。
【図面の簡単な説明】
【００６３】
【図１】本発明実施形態の紫外線情報共有システムの概略構成を示す図である。
【図２】日本全国の紫外線情報を提供するための紫外線強度マップ画像の一例を示す図である。
【図３】本発明実施形態の携帯電話端末の概略的な内部構成を示すブロック図である。
【図４】本発明実施形態の紫外線情報提供サーバの概略的な内部構成を示すブロック図である。
【符号の説明】
【００６４】
１  太陽、２  ＧＰＳ衛星、３  紫外線情報提供サーバ、４  情報端末、５，６  携帯電話端末、２０  制御部、２１  通信機能部、２２  紫外線情報統計処理部、２３  紫外線強度マップ画像生成部、２４  地図データベース、２５  紫外線情報サービスコンテンツデータベース、２６  紫外線・測定位置情報データベース
【図１】
2007104555.tif 000003
【図２】
2007104555.tif 000004
【図３】
2007104555.tif 000005
【図４】
2007104555.tif 000006